(57)【要約】【課題】幼児でも取り扱い易く、構造が簡単で組み立て易く、安価な独楽玩具を提供する。【解決手段】円盤状の独楽本体２の中央の貫通孔２ａには、芯棒４が差し込み固定されており、この芯棒４に、独楽本体２の表面２ａに当接するようにして、紐巻筒３が固定されている。かかる構成の独楽１において、その紐巻筒３に紐６を巻き付け、芯棒４を握柄５の貫通孔５ａに通してこの握柄５を紐巻筒３に当接するようにして、テーブルや床などで独楽１を保持し、かかる状態で紐６を引っ張ると、独楽１が回転する。そして、握柄５を独楽１から取り外すことにより、独楽１が廻っている状態となる。【選択図】        図１
2004329480.tif 000002
【特許請求の範囲】
【請求項１】
円盤状の独楽本体の中心部の貫通穴に心棒が挿入されて固定され、かつ該心棒に、該独楽本体の表面に当接するようにして、弾性を有する紐巻部が設けられた独楽からなることを特徴とする独楽玩具。
【請求項２】
円盤状の独楽本体の中心部の貫通穴に心棒が挿入されて固定され、かつ該心棒の一部に該貫通穴よりも太い外径の紐巻部が形成されていて、該紐巻部が該独楽本体の表面に当接している独楽からなることを特徴とする独楽玩具。
【請求項３】
請求項１または２において、
前記紐巻筒に巻き付ける引き紐と、内径が前記心棒の外径よりも大きく前記紐巻部の外径よりも小さい貫通穴を有する握柄とを付属部品とし、該握り柄を前記紐巻部に当接するように前記心棒に取り付けた状態で前記紐巻部に巻き付けた該引き紐を引くことにより、前記独楽を回転させるようにしたことを特徴とする独楽玩具。
【請求項４】
中心部に貫通穴が設けられた円盤状の独楽本体と、該貫通穴に差し込み可能な外径の心棒と、該心棒に取り付け可能な弾性を有する紐巻筒と、該紐巻部に巻き付けるための引き紐と、該心棒の外径よりも大きく、かつ該紐巻筒の外径よりも小さい内径の貫通穴が設けられた握柄とのセットからなることを特徴とする独楽玩具セット。
【請求項５】
中心部に貫通穴が設けられた円盤状の独楽本体と、該貫通穴に差し込み可能であって、かつ一部に該貫通穴よりも太い外径の紐巻部が形成された心棒と、該紐巻部に巻き付けるための引き紐と、該心棒の外径よりも大きく、かつ該紐巻筒の外径よりも小さい内径の貫通穴が設けられた握柄とのセットからなることを特徴とする独楽玩具セット。
【発明の詳細な説明】
【０００１】
【発明の属する技術分野】
本発明は、紐を用い、手による作業だけで廻わすことができるようにした独楽玩具及び独楽玩具セットに関する。
【０００２】
【従来の技術】
独楽を廻す一般的な方法としては、紐を独楽本体の円錐側面部分に巻き付け、その紐の端を掴んで独楽本体を地面に向かって投げるものであるが、このように独楽本体を投げずに廻すことができるようにした独楽玩具も提案されている。その１つは、独楽本体に特別に巻付部材を設け、これに紐を巻き付けるようにしたものである（例えば、特許文献１，特許文献２参照）。
【０００３】
特許文献１に記載の独楽玩具は、図４に示すように、独楽本体１０の表面１０ａの中央に円筒状の紐巻付部１１が固定して設けられ、これに図示しない紐を巻き付けるようにしたものである。独楽本体１０の中央部には、回転軸に沿って貫通孔１０ｂが設けられ、この貫通穴１０ｂと同径の紐巻付部１１の筒孔１１ａがこの貫通孔１０ｂとずれなく連通するように、紐巻付部１１が独楽本体１０の表面１０ａに配置・固定されている。独楽本体１０の円錐状部１０ｃの先端側からこれら貫通孔１０ｂ，筒孔１１ａに軸棒１２を差し込むことができる。この軸棒１２の一方の端部には、独楽の回転芯１２ａが形成されており、この回転芯１２ａの部分まで軸棒１２を差し込むことにより、軸棒１２の他端側が一部紐巻付部１１から突き出し、この突き出した部分が掴み部１２ｂとして使用される。
【０００４】
この独楽を廻す場合には、まず、紐巻付部１１に紐（図示せず）を巻き付け、次に、軸棒１２を貫通孔１０ｂ，筒孔１１ａを通して差し込んでその掴み部１２ｂを指先で掴み、巻き付けた紐を引っ張ることにより、独楽本体１０を回転させる。そして、回転芯１２ａを地面などに置いて指先を掴み部１２ｂから離すと、軸棒１２と一体となって独楽本体１０が廻る。
【０００５】
また、特許文献２に記載の独楽玩具は、図５に示すように、円盤状の独楽本体１０の貫通孔に筒状の糸巻部１３を貫通させて固定し、この貫通孔に軸棒１２を通して貫通させ、この糸巻部１３に糸１４を巻き付けて軸棒１２を一方の手の親指と人さし指とで持ちながら、糸１４を引くことによって糸巻部１３と一体の独楽本体１０を回転させ、次いで、軸棒１２の端をつまんでテーブルなどに置くことにより、軸棒１２とともに独楽本体１０を廻すことができる。
【０００６】
独楽玩具の他の従来例としては、軸棒を握枠で保持した状態で、紐を引くことにより、回転させるものも提案されている（例えば、特許文献３参照）。
【０００７】
これは、図６に示すように、独楽本体２０に固定された軸棒２１に紐通し孔２１ａが設けられ、この紐通し孔２１ａに紐の先端を通し、この紐を軸棒２１に巻き付けるようにしたものである。また、この独楽本体２０を廻す際に、これを保持するための握柄２２が用いられる。この握柄２２は断面が四角の棒状をなしており、その先端部に軸棒２１を通す垂直透孔２２ａが、また、この垂直透孔２２ａに直交して貫通する水平透孔２２ｂが夫々設けられている。
【０００８】
独楽本体２０を廻す場合には、まず、軸棒２１を握柄２２の垂直透孔２２ａに通して握柄２２を軸棒２１に取り付ける。このとき、握柄２２を独楽本体２０に当接させる。これにより、握柄２２の水平透孔２２ｂのほぼ中央に軸棒２１の紐通し孔２１ａが位置する。この状態で図示しない紐の先端を紐通し孔２１ａに通し、独楽本体２０を廻すと、水平透孔２２ｂ内で紐が軸棒２１に巻かれる。紐を巻き終わると、握柄２２を水平にして軸棒２１を垂直に保持し、紐を引くと、独楽本体２０が回転する。握柄２２を軸棒２１から取り除くと、独楽本体１が独自で回転した状態となる。
【０００９】
【特許文献１】
実願昭４９ー１６０７９号（実開昭５０ー１０７２９８号）のマイクロフィルム
【００１０】
【特許文献２】
実願昭５２ー１２５２０４号（実開昭５４ー５２９９８号）のマイクロフィルム
【００１１】
【特許文献３】
実願昭５７ー１５４２５４号（実開昭５９ー５７９８６号）のマイクロフィルム
【００１２】
【発明が解決しようとする課題】
ところで、上記特許文献１，２に記載の独楽玩具では、独楽本体１０を回転させて軸棒１２を離したとき、独楽本体１０と軸棒とが一体に傾かないように、かつスムーズに回転させるためには、軸棒１２と筒孔１１ａ，貫通孔１１ｂとのクリアランス（隙間）を高精度に設定することが必要であり、このため、軸棒１２の外径や筒孔１１ａ，貫通孔１１ｂの内径寸法を高精度に設定しなければならない。また、上記特許文献１に記載の独楽玩具では、さらに、紐巻付部１１を独楽本体１０の表面１０ａに固定する場合、この紐巻付部１１の筒孔１１ａと独楽本体１０の貫通孔１１ｂとが、これら間に段差が生じないように、紐巻付部１１を独楽本体１０の表面１０ａの所定の位置に正確に配置することが必要となる。
【００１３】
このように、上記特許文献１，２に記載の独楽玩具は、部品の寸法や部品の取り付けに高い精度が要求されるから、製作に手間と時間が掛かって高価になる。
【００１４】
また、独楽本体１０を回転させた状態でテーブルなどの上に置き、軸棒１２から指先を離すことにより、独楽を廻した状態にするものであるが、この場合、軸棒１２がテーブルなどの面に垂直になるようして、軸棒１２から指を離さないと、独楽は斜めの状態で廻り、直ぐに止まってしまう。しかし、特に独楽玩具に強い興味を持つ幼稚園児や小学校低学年などの幼児にとっては、独楽本体が回転しているときの軸棒を垂直に立ててテーブルなどに置くことは非常に難しく、かかる独楽玩具を使いこなすためには、それに慣れるのに長い時間を必要とする。
【００１５】
また、特に、特許文献１に記載の独楽部材の組み立て前の状態を独楽玩具セットとし、これを教材として上記世代の幼児に組み立てさせることが考えられる。しかしながら、かかる独楽玩具セットの各部材（独楽本体１０や紐巻付部１１，軸棒１２）が精度良く作成されていても、紐巻付部１１を独楽本体１１に取り付ける作業は、紐巻付部１１を精度良く位置付けしなければならないことから幼児には非常に難しいものであり、満足な独楽玩具に完成できない可能性が高い。
【００１６】
これに対し、特許文献３に記載の独楽玩具では、紐を引いて独楽を廻すとき、握柄２２で軸棒２１が垂直になるように調整できるから、幼児でも、正しく廻すようにすることは比較的容易であるかも知れないが、紐を巻く場合、その紐の先端を軸棒２１の紐通し孔２１ａに通すという手間の掛かる作業が必要であるし、また、直接手で紐を巻くのではなく、独楽本体２０を手で廻して紐を巻くものであるから、幼児にとっては意外に手間が掛かり、慣れるのに時間が掛かる。
【００１７】
また、握柄２２も、垂直透孔２２ａと水平透孔２２ｂとの２つの透孔を加工する必要があるし、特に、水平透孔２２ｂは、握柄２２が心棒２１に取り付けられたとき、正確に心棒２１の紐通し穴２１ａがこの水平透孔２１ａ内に位置し、この水平透孔２１ａ内で紐巻きができるように、精度良く大きさや位置付けがなされなければならず、握柄２２にしても、その作成にコストが掛かることになる。
【００１８】
本発明の目的は、かかる問題を解消し、幼児でも、簡単に廻すことができて取り扱い易く、組立ても容易で安価な独楽玩具及び独楽玩具セットを提供することにある。
【００１９】
【課題を解決するための手段】
上記目的を達成するために、本発明による独楽玩具は、円盤状の独楽本体の中心部の貫通穴に心棒が挿入、固定され、該心棒に、該独楽本体の表面に当接するようにして、弾性を持つ紐巻部が設けられた独楽からなるものである。紐巻部は、心棒の一部を太くしたものでもよい。そして、紐巻筒に巻き付ける引き紐と、内径が心棒の外径よりも大きくて紐巻部の外径よりも小さい貫通穴を有する握柄とを付属部品とし、握柄を紐巻部に当接するように心棒に取り付けた状態で紐巻部に巻き付けた引き紐を引くと、独楽が回転するものである。
【００２０】
また、本発明による独楽玩具セットは、上記の中心部に貫通穴が設けられた独楽本体と、貫通穴に押し込み可能な外径の心棒と、心棒に取り付け可能な紐巻筒と、引き紐と、心棒の外径よりも大きく、かつ紐巻筒の外径よりも小さい内径の貫通穴が設けられた握柄とのセットからなるものである。
【００２１】
【発明の実施の形態】
以下、本発明の実施形態を図面を参照して説明する。
図１は本発明による独楽玩具の一実施形態を示す図であって、１は独楽、２は独楽本体、２ａは貫通孔、２ｂは表面、２ｃは裏面、３は紐巻筒、４は芯棒、４ａは芯、５は握柄、５ａは貫通孔、６は引き紐、６ａは握り部である。
【００２２】
同図において、この実施形態の独楽玩具は、独楽１とこれに付属した握柄５，引き紐６とからなっている。独楽１は円盤状の独楽本体２と、この独楽本体２の中央に設けられた貫通孔２ａに押し込まれて固定されて芯棒４と、この芯棒４に嵌め込み固定された弾性を有するパイプ状の紐巻筒３とから構成されている。
【００２３】
独楽本体２は、例えば、変形や反りが生じにくいベニア板や集成材などを円盤状に加工したものであり、その中心に貫通孔２ａが設けられている。なお、独楽本体２は、反りや変形がしにくいものであれば、金属板やプラスチック，硬質ゴムなどの材料の円盤としてもよい。芯棒４は、例えば、木材や竹などの折れにくい材料が用いられ、その一方の端部をやや尖らしたり、丸みを付けたりして、独楽の芯４ａを設けている。この芯棒４は、その先端の芯４ａが独楽本体２を突き抜け、その裏面２ｃから少し突き出るようにして、独楽本体２の貫通孔２ａに押し込み固定されている。
【００２４】
このようにして独楽本体２に固定された芯棒４には、紐巻筒３が、独楽本体２の表面２ｂに当接するように、固定して取り付けられている。つまり、紐巻筒３と独楽本体２の表面２ｂとの間には、隙間が生じないようにしている。この紐巻筒３は、独楽１を回転させるために紐６を巻き付けるものであるが、紐６が滑りにくいビニールやゴムなどの弾性を有する材料のパイプ状（円筒状）の材料で形成されたものである。
【００２５】
また、独楽１を廻すための付属部品としての握柄５は、例えば、断面が四角状や丸状などといった木材などによる単純な棒であって、その先端部に貫通孔５ａが設けられている。この貫通孔５ａの内径は、独楽１の芯棒４の外径よりもやや大きく、かつ紐巻筒３の外径よりも小さく設定されている。
【００２６】
この独楽１を廻す場合には、片方の手で独楽１を持ってもう一方の手でこの紐巻筒３に紐６を巻き付け、しかる後、握柄５の貫通孔５ａに独楽１の芯棒４を通すことにより、握柄５を独楽１に取り付けて、独楽１をテーブルや床などの上に置く。この場合、握柄５を紐巻筒３に当てて握柄５で独楽１を、芯棒４が垂直となるようにして、軽く押さえるようにする。この状態を図２に示す。なお、図２において、図１に対応する部分には同一符号を付けている。
【００２７】
図２に示すように、握柄５で独楽１を上記の状態に保ちながら、紐６の端部に設けられた握り部６ａを持って紐６を引くと、芯棒４が握柄５の貫通孔５ａの中で回転するようにして、独楽１が廻る。しかる後、芯棒４から握柄５を取り外すと、そのまま独楽１が廻っている状態が続く。
【００２８】
この実施形態では、独楽１を廻す場合、独楽１に設けられた紐巻筒３に紐６を直接巻き付ければよいので、上記特許文献３に記載の独楽のような紐６の先を細い通し孔に通すような手間がないし、紐巻筒３は弾性を有する材料からなるものであるから、紐６との密着性が良好で紐６の先端を軽く紐巻筒６に押さえるだけで紐を巻き付けることができて、紐巻作業が簡単になる。
【００２９】
しかも、独楽１をテーブルなどの上に置いて廻す場合には、紐巻筒３が独楽１の芯４ａと握柄５の間にあるから、芯棒４を垂直に保持した安定な状態で独楽１を廻すことが容易であるし、また、これら芯４ａと握柄５で支持されながら、これらによる２つの支点の間で紐６を引くものであるから、安定した状態で紐６を引くことができるし、また、弾性がある紐巻筒６に良好に密着した状態で巻かれた紐６を引っ張ることになるから、紐巻筒６に対して滑りが生ずることなく紐６を引っ張ることができて、独楽１を勢い良く廻すことができる。さらに、独楽本体２が円盤状をなすものであるから、独楽１全体の重心が低い位置にあることになり、安定した回転状態を長く維持することができる。以上のことから、独楽１を、長時間、安定した状態で廻り続けさせることができる。なお、握柄５で独楽１を保持して独楽１をテーブルや地面などから浮かした状態とし、かかる状態で、紐６を引っ張ることにより、独楽１を回転させ、握柄５から外すことにより、テーブルや地面などに落下させて回転されるようにすることも可能である。
【００３０】
さらに、この実施形態は、独楽１として、円盤状の独楽本体２に芯棒４を固定し、この芯棒４に紐巻筒３を取り付けた構成をなすものであり、また、付属部材としての握柄５も、角棒に１つの貫通孔を設けただけの単純な構成をなすものであるから、全体としての構造が簡単であって、安価に提供することができる。
【００３１】
また、この実施形態は、組立ても簡単であり、幼稚園児や小学校低学年などの幼児の教材にも適している。図３は図１に示す独楽玩具の分解図であって、これは、また、教材に適した本発明による独楽玩具セットの一実施形態を示すものであり、図１に対応する部分には同一符号を付けて重複する説明を省略する。
【００３２】
同図において、この独楽玩具セットは、円盤状の独楽本体２と、芯棒４と、紐巻筒３と、握柄５と、握り部６ａが取り付けられた紐６とのセットからなるものである。かかる独楽玩具セットから図１に示す独楽１を組み立てる場合には、まず、独楽本体２の中央にある貫通孔２ａに芯棒４をその軸心４ａ側から差し込む。この場合、芯棒４の先端の軸心４ａをこの貫通孔２ａに当てがい、軸心４ａ側が独楽本体２の裏面２ｃ側に所定長さ突出するまで、芯棒４をこの貫通孔２ａの中に押し込み固定する。
【００３３】
このようにして、芯棒４が貫通孔２ａに押し込まれることにより、この芯棒４が独楽本体２に固定して取り付けられることになる。この場合、この芯棒４の押し込み作業により独楽本体２が割れたり、変形したりしないようにするために、独楽本体２をベニア板や集成材，金属板などで形成する。
【００３４】
なお、通常、独楽本体は、棒状の木材または木塊から木工旋盤を用いて作成されるが、この実施形態の円盤状の独楽本体２は、ボール盤によって簡単に作成することができる。即ち、ボール盤に貫通穴２ａを形成するための錐とこの両側に切削刃とを取り付け、これら錐と切削刃とが一体となって回転するようにする。そして、例えば、集成材をボール盤の台に載置して、まず、錐によって独楽本体２の貫通孔２ａとなる孔を明け、この孔に錐が嵌まった状態で、回転する切削刃によって集成板を円盤状に切り抜く。これにより、貫通孔２ａを有する円盤状の独楽本体２が得られる。このようにして、独楽本体２の量産も可能である。
【００３５】
次に、紐巻筒３の内孔３ａに芯棒４を手で押し込んで紐巻筒３を芯棒４に取り付け、次いで、握柄５の貫通穴５ａに心棒４を押し込んで、紐巻筒３を芯棒４に沿って押し下げて独楽本体２の表面２ｂに押し付ける。このように、紐巻筒３の取付けも容易に行なうことができる。なお、紐巻筒３としては、ビニールやゴムなどのホース状のものを所定の長さに切断することにより、容易に作成できる。
【００３６】
このようにして、かかる独楽玩具セットから独楽１への組み立てには、精度を要する作業はなく、上記のような幼児でも可能な作業となる。
【００３７】
なお、このように独楽玩具セットでは、教材などとして用いる場合、独楽本体２の表面２ｂや裏面２ｃは無地の面とし、これに幼児が好みの色合いの模様などを描くことができる。これは、芯棒４や紐巻筒３を取り付けた独楽１をロクロに、この芯棒４が保持されるようにして、取り付け、ロクロを回転させることによって独楽１を回転させ、独楽１の各面に色ペンなどで触れることにより、色付きの環状の模様を描くことができる。
【００３８】
また、以上の実施形態では、芯棒４に別部品の紐巻筒３を取り付けるようにしたが、芯棒４での上記紐巻筒３が取り付けられる位置に相当する部分の外径を太く形成し、その部分を紐６を巻き付ける部分とすることができる。従って、この場合には、別部品としての紐巻筒３は不要である。なお、この場合、この紐を巻き付ける部分の面を粗くし、紐がより滑らないようにすれば、より好適である。
【００３９】
【発明の効果】
以上説明したように、本発明によれば、紐巻筒が独楽本体の表面に当接して芯棒に設けられているので、これに紐を巻き易く、特に、紐巻筒が弾性を有する材料からなる場合には、これに紐を巻くとき、滑りがなくて非常に巻き易いものとなる。そして、紐巻筒に巻かれた紐を引いて独楽を廻すときに、この紐巻筒が床やテーブルの上などに置かれる独楽の芯と芯棒に取り付けた握柄とによる２支点間に位置するので、独楽を正しい姿勢にて紐巻筒に巻かれた紐を引くことが容易となり、容易に独楽を正しい姿勢で回転させることができる。しかも、紐巻筒とこれに巻かれた紐との滑りをなくすことができるので、独楽を勢い良く廻すことができる。さらに、独楽本体は円盤状をなすものであるから、独楽全体の重心を低くすることができ、独楽の正しい姿勢での回転状態を長く維持することができる。このようにして、幼児でも、簡単に廻すことができて取り扱い易く、構造も簡単で組み立て易く、安価なものになるという優れた効果が得られる。
【図面の簡単な説明】
【図１】本発明による独楽玩具の一実施形態を示す図である。
【図２】図１に示す独楽に紐を巻き付けて廻すときの状態を示す図である。
【図３】本発明による独楽玩具セットの一具体例を示す図である。
【図４】従来の独楽玩具の一例を示す図である。
【図５】従来の独楽玩具の他の例を示す図である。
【図６】従来の独楽玩具のさらに他の例を示す図である。
【符号の説明】
１  独楽
２  独楽本体
２ａ  貫通孔
２ｂ  表面
２ｃ  裏面
３  紐巻筒
４  芯棒
４ａ  芯
５  握柄
５ａ  貫通孔
６  引き紐
６ａ  握り部
【図１】
2004329480.tif 000003
【図２】
2004329480.tif 000004
【図３】
2004329480.tif 000005
【図４】
2004329480.tif 000006
【図５】
2004329480.tif 000007
【図６】
2004329480.tif 000008